(57)【特許請求の範囲】
【請求項１】
撮像素子と、
前記撮像素子からの信号に基づいて、第１のアスペクト比で構成される第１撮影範囲に対応する画像、および前記第１のアスペクト比より小さい第２のアスペクト比で構成される第２撮影範囲に対応する画像をそれぞれ生成する画像生成手段と、
第３のアスペクト比の表示範囲を有する表示手段と、
前記撮像素子からの信号に基づく再生画像と、前記再生画像に重ねて、前記第１撮影範囲を示す第１フレームおよび前記第２撮影範囲を示す第２フレームを各フレームの区別に必要な情報とともに表示させる表示制御手段と、を備え、
前記表示制御手段は、前記撮像素子で用いられる受光範囲のアスペクト比が前記第１のアスペクト比より小さく、かつ、前記第３のアスペクト比が前記第２のアスペクト比より大きいとき、前記表示手段における表示範囲の縦方向の辺の長さと前記第２フレームの縦方向の辺の長さとを一致させるように前記第２フレームを表示させ、前記第２フレームにおける表示範囲の横方向の辺の長さと前記第１フレームの横方向の辺の長さとを一致させるように前記第１フレームを表示させることを特徴とする撮像装置。
【請求項２】
撮像素子と、
前記撮像素子からの信号に基づいて、第１のアスペクト比で構成される第１撮影範囲に対応する画像、および前記第１のアスペクト比より小さい第２のアスペクト比で構成される第２撮影範囲に対応する画像をそれぞれ生成する画像生成手段と、
第３のアスペクト比の表示範囲を有する表示手段と、
前記撮像素子からの信号に基づく再生画像と、前記再生画像に重ねて、前記第１撮影範囲を示す第１フレームおよび前記第２撮影範囲を示す第２フレームを各フレームの区別に必要な情報とともに表示させる表示制御手段と、を備え、
前記表示制御手段は、前記撮像素子で用いられる受光範囲のアスペクト比が前記第１のアスペクト比より小さく、かつ、前記第３のアスペクト比が前記第２のアスペクト比以下のとき、前記表示手段における表示範囲の横方向の辺の長さと前記第２フレームの横方向の辺の長さとを一致させるように前記第２フレームを表示させ、前記第２フレームにおける表示範囲の横方向の辺の長さと前記第１フレームの横方向の辺の長さとを一致させるように前記第１フレームを表示させることを特徴とする撮像装置。
【請求項３】
請求項１または２に記載の撮像装置において、
前記フレームの区別に必要な情報は、異なる色の表示、異なる線の表示、アイコン、文字、および記号のうち少なくとも１つを用いて表示することを特徴とする撮像装置。
【請求項４】
請求項１〜３のいずれか一項に記載の撮像装置において、
前記第１撮影範囲に対応する画像は動画像であり、前記第２撮影範囲に対応する画像は静止画像であることを特徴とする撮像装置。
【請求項５】
請求項４に記載の撮像装置において、
前記表示制御手段はさらに、前記第１撮影範囲と前記第２撮影範囲とで重複しない領域の表示態様を他の領域と異ならせることを特徴とする撮像装置。
【請求項６】
請求項５に記載の撮像装置において、
前記表示制御手段はさらに、レリーズ操作部材が操作中の場合は前記重複しない領域の表示態様を前記他の領域と同じにすることを特徴とする撮像装置。
【発明の詳細な説明】
【技術分野】
【０００１】
本発明は、撮像装置に関する。
【背景技術】
【０００２】
動画撮影中に静止画を撮影可能にした撮像装置が知られている（特許文献１参照）。アスペクト比が異なる撮影範囲をガイドフレームとして表示する。
【先行技術文献】
【特許文献】
【０００３】
【特許文献１】特開２０１０−１０３６７６号公報
【発明の概要】
【発明が解決しようとする課題】
【０００４】
従来技術では、どのガイドフレームで表示されているものが静止画の撮影範囲で、どのガイドフレームで表示されているものが動画の撮影範囲なのか判りにくいという問題があった。
【課題を解決するための手段】
【０００５】
本発明による撮像装置は、撮像素子と、撮像素子からの信号に基づいて、第１のアスペクト比で構成される第１撮影範囲に対応する画像、および第１のアスペクト比より小さい第２のアスペクト比で構成される第２撮影範囲に対応する画像をそれぞれ生成する画像生成手段と、第３のアスペクト比の表示範囲を有する表示手段と、撮像素子からの信号に基づく再生画像と、再生画像に重ねて、第１撮影範囲を示す第１フレームおよび第２撮影範囲を示す第２フレームを各フレームの区別に必要な情報とともに表示させる表示制御手段と、を備え、表示制御手段は、撮像素子で用いられる受光範囲のアスペクト比が第１のアスペクト比より小さく、かつ、第３のアスペクト比が第２のアスペクト比より大きいとき、表示手段における表示範囲の縦方向の辺の長さと第２フレームの縦方向の辺の長さとを一致させるように第２フレームを表示させ、第２フレームにおける表示範囲の横方向の辺の長さと第１フレームの横方向の辺の長さとを一致させるように第１フレームを表示させることを特徴とする。
【発明の効果】
【０００６】
本発明による撮像装置では、アスペクト比が異なる複数の撮影範囲を示す表示をわかりやすく表示できる。
【図面の簡単な説明】
【０００７】
【図１】本発明の第一の実施形態による電子カメラの構成例を説明するブロック図である。
【図２】電子カメラの上面図である。
【図３】電子カメラの背面図である。
【図４】「動画」についての選択画面を例示する図である。
【図５】ガイドフレーム表示を例示する図である。
【図６】ガイドフレーム表示を例示する図である。
【図７】ガイドフレーム表示を例示する図である。
【図８】ガイドフレーム表示を例示する図である。
【図９】ガイドフレーム表示を例示する図である。
【図１０】ガイドフレーム表示を例示する図である。
【図１１】ガイドフレーム表示を例示する図である。
【図１２】ガイドフレーム表示を例示する図である。
【図１３】ガイドフレーム表示を例示する図である。
【図１４】ガイドフレーム表示を例示する図である。
【図１５】ガイドフレーム表示を例示する図である。
【図１６】ガイドフレーム表示を例示する図である。
【図１７】ガイドフレーム表示を例示する図である。
【図１８】ガイドフレーム表示を例示する図である。
【発明を実施するための形態】
【０００８】
以下、図面を参照して本発明を実施するための形態について説明する。
（第一の実施形態）
図１は、本発明の第一の実施形態による電子カメラ１の構成例を説明するブロック図である。図１において、電子カメラ１は、撮影光学系１１と、撮像素子１２と、ＡＦＥ(Analog front end)回路１３と、画像処理回路１４と、スピーカ駆動回路１５と、スピーカ１６と、ＬＣＤモニタ１７と、ＲＡＭ１８と、フラッシュメモリ１９と、ＣＰＵ２０と、メモリカードインターフェース(I/F)２１と、操作部材２２と、音声処理回路２３と、ステレオマイク２４と、レンズ駆動回路２５とを備える。
【０００９】
ＣＰＵ２０、ＲＡＭ１８、フラッシュメモリ１９、メモリカードインターフェース２１、音声処理回路２３、レンズ駆動回路２５、画像処理回路１４、スピーカ駆動回路１５およびＬＣＤモニタ１７は、それぞれがバス２６を介して接続されている。
【００１０】
撮影光学系１１は、ズームレンズやフォーカシングレンズを含む複数のレンズ群で構成され、被写体像を撮像素子１２の撮像面に結像させる。なお、図１を簡単にするため、撮影光学系１１を単レンズとして図示している。
【００１１】
撮像素子１２は、受光素子が撮像面に二次元配列されたＣＭＯＳイメージセンサなどによって構成される。本実施形態における撮像面の有効受光範囲のアスペクト比が横３：縦２である。撮像素子１２は、撮影光学系１１によって結像された被写体像を光電変換してアナログ画像信号を生成する。アナログ画像信号は、ＡＦＥ回路１３に入力される。
【００１２】
ＡＦＥ回路１３は、アナログ画像信号に対して相関二重サンプリングやゲイン調整などのアナログ処理を行うとともに、アナログ処理後の画像信号をデジタル画像データに変換する。デジタル画像データは画像処理回路１４に入力される。画像処理回路１４は、デジタル画像データに対して各種の画像処理（色補間処理、階調変換処理、輪郭強調処理、ホワイトバランス調整処理、画像圧縮処理、画像伸張処理など）を施す。
【００１３】
スピーカ駆動回路１５は、ＣＰＵ２０から送出された音声データに基づいて、たとえば操作音、注意音、音声メッセージなどの音声再生信号を生成する。スピーカ１６は、音声再生信号に基づいて音声再生を行う。
【００１４】
ＬＣＤモニタ１７は液晶パネルによって構成され、ＣＰＵ２０からの指示に応じて画像やセットアップメニュー画面などを表示する。本実施形態における表示面の有効表示範囲のアスペクト比は、横３：縦２である。ＲＡＭ１８はＣＰＵ２０のワークメモリとして使用される。また、ＲＡＭ１８は、画像処理回路１４による画像処理の前工程や後工程でのデジタル画像データを一時的に記憶する。フラッシュメモリ１９は、ＣＰＵ２０に実行させるプログラムを記憶する。
【００１５】
ＣＰＵ２０は、フラッシュメモリ１９が記憶するプログラムを実行することによって電子カメラ１が行う動作を制御する。ＣＰＵ２０は、ＡＦ（オートフォーカス）動作制御や、自動露出（ＡＥ）演算も行う。ＡＦ動作は、たとえば、ライブビュー画像のコントラスト情報に基づいてフォーカシングレンズ（不図示）の合焦位置を求める。ライブビュー画像は、撮影指示前に撮像素子１２によって所定の時間間隔（たとえば３０コマ／毎秒）で繰り返し取得されるモニタ用画像のことをいう。
【００１６】
メモリカードインターフェース２１はコネクタ（不図示）を有し、該コネクタにメモリカードなどの記憶媒体５１が接続される。メモリカードインターフェース２１は、接続された記憶媒体５１に対するデータの書き込みや、記憶媒体５１からのデータの読み込みを行う。記憶媒体５１は、半導体メモリを内蔵したメモリカードなどで構成される。
【００１７】
操作部材２２は、後述するシャッターボタン２２ａ、動画撮影ボタン２２ｂ  電源ボタン２２ｃ、十字キー２２ｅ、ＯＫボタン２２ｆ、メニューボタン２２ｇなどを含む（図２、図３）。操作部材２２は、モード切換え操作やメニュー選択操作など、各操作に応じた操作信号をＣＰＵ２０へ送出する。
【００１８】
音声処理回路２３は、マイク２４で集音された音声信号を増幅し、増幅後の信号をＡ／Ｄ変換回路（不図示）によってデジタル音声データに変換する。レンズ駆動回路２５は、撮影光学系１１を構成するフォーカスレンズを光軸方向に進退移動させてピント調節するためのフォーカス調節用モータ（不図示）を駆動する回路と、撮影光学系１１を構成するズームレンズを光軸方向に進退移動させて変倍比を調節するためのズーム調節用モータ（不図示）を駆動する回路とを含む。レンズ駆動回路２５は、ＣＰＵ２０からの指示に応じてフォーカス調節用モータおよびズーム調節用モータをそれぞれ駆動する。
【００１９】
図２は、電子カメラ１の上面図である。電子カメラ１の筐体上面には、シャッターボタン２２ａ、動画撮影ボタン２２ｂ  電源ボタン２２ｃ、およびモードダイヤル２２ｄが設けられている。シャッターボタン２２ｂは、静止画撮影を指示するための操作部材である。動画撮影ボタン２２ｂは、動画撮影開始／終了を指示するための操作部材である。電源ボタン２２ｃは、上記各ブロックへ通電の開始／通電の停止を指示するための操作部材である。モードダイヤル２２ｄは、電子カメラ１の動作モードを切換えるための操作部材である。
【００２０】
電子カメラ１の動作モードは、静止画撮影モード、動画撮影モード、およびセットアップモードに分けられている。静止画撮影モードは、静止画を撮影するモードであり、５つのモードが選択可能に構成される。５つのモードは、フルオート、プログラムオート（Ｐ）、シャッター優先オート（Ｓ）、絞り優先オート（Ａ）、マニュアル（Ｍ）である。動画撮影モードは、動画像を撮影するモードである。
【００２１】
ＣＰＵ２０は、モードダイヤル２２ｄがフルオート（モードダイヤル２２ｄにおけるカメラマークの位置）、またはプログラムオート（Ｐ）、シャッター優先オート（Ｓ）、絞り優先オート（Ａ）、マニュアル（Ｍ）のいずれかの位置に回転されると、それぞれの操作位置に応じた静止画撮影モードを起動させる。ＣＰＵ２０は、シャッターボタン２２ａが押下操作されると、設定モードに応じた所定の撮影処理を行う。
【００２２】
ＣＰＵ２０は、モードダイヤル２２ｄが動画撮影モード（モードダイヤル２２ｄにおけるビデオカメラマークの位置）に回転されると、動画撮影モードを起動させる。ＣＰＵ２０は、動画撮影ボタン２２ｂが押下操作されると動画撮影を開始させ、動画撮影ボタン２２ｂが再び押下操作されると動画撮影を終了する。ＣＰＵ２０は、動画撮影中にシャッターボタン２２ａが押下操作されると、動画撮影しながら静止画撮影処理を行う。
【００２３】
一般に、動画撮影における撮影範囲のアスペクト比は、静止画撮影における撮影範囲のアスペクト比と異なる。このため、静止画撮影も動画撮影も可能な状態において、どの範囲が撮影されるのかを示す情報は、ユーザーが構図を決定する上で重要な要素の１つである。本実施形態は、動画撮影および静止画撮影のそれぞれにおける撮影範囲のアスペクト比をＬＣＤモニタ１７に表示する場合の表示態様に特徴を有するので、以下の説明は「ガイドフレーム表示」を中心に説明する。「ガイドフレーム表示」とは、撮影範囲を示す表示のことをいう。なお、電子カメラ１は、動画像をアスペクト比横１６：縦９で撮影し、静止画像をアスペクト比横３：縦２で撮影するものとする。上述したように、撮像素子１２における有効受光範囲のアスペクト比は横３：縦２であるので、静止画撮影の場合のＣＰＵ２０は、有効受光範囲の全域（横３：縦２）を撮影範囲とする。動画撮影の場合のＣＰＵ２０は、有効受光範囲のうち上下の所定画素を除いた領域（横３：縦１．６８７＝１６：９）を撮影範囲とする。
【００２４】
図３は、電子カメラ１の背面図である。電子カメラ１の背面には、ＬＣＤモニタ１７と、十字キー２２ｅと、ＯＫボタン２２ｆとが設けられている。ＣＰＵ２０は、モードダイヤル２２ｄが「SET UP」の位置に回転されると、撮影モードからセットアップモードに切換えて不図示の「セットアップメニュー」画面をＬＣＤモニタ１７に表示させる。「セットアップメニュー」には、後述する「画像サイズ」および「画質」を変更するための項目が含まれる。ＣＰＵ２０は、「セットアップメニュー」画面を表示中に十字キー２２ｅが上下方向に押下操作されると、操作信号に応じて選択項目を上下に変更する。
【００２５】
ＣＰＵ２０は、たとえば「静止画／動画選択」画面において「静止画」項目を選択した状態で十字キー２２ｅが右方向に押下操作されると、図３に例示する「静止画」についての選択画面をＬＣＤモニタ１７に表示させる。ＣＰＵ２０は「静止画」についての選択画面を表示中に十字キー２２ｅが上下方向に押下操作されると、操作信号に応じて選択項目を上下に変更する。ＣＰＵ２０は、たとえば「画像サイズ」項目を選択した状態で十字キー２２ｅが右方向に押下操作されると、操作信号に応じて「画像サイズ」項目ついての選択操作を受け付ける。具体的には、十字キー２２ｅの上下方向の操作に応じて、画像サイズの大小を変更する。図３の例では、「１０Ｍ」バイトの場合が例示されている。ＣＰＵ２０は、ＯＫボタン２２ｆが押下されると、画像サイズを変更して「静止画」についての選択画面に戻る。
【００２６】
同様に、ＣＰＵ２０は、「画質」項目を選択した状態で十字キー２２ｅが右方向に押下操作されると、操作信号に応じて「画質」項目ついての選択操作を受け付ける。具体的には、十字キー２２ｅの上下方向の操作に応じて、画質設定を変更する。図３の例では、「ＦＩＮＥ」、「ＮＯＲＭＡＬ」、および「ＢＡＳＩＣ」のうち「ＦＩＮＥ」が選択されている。ＣＰＵ２０は、ＯＫボタン２２ｆが押下されると、画質を変更して「静止画」についての選択画面に戻る。ＣＰＵ２０は、「静止画」についての選択画面を表示中にＯＫボタン２２ｆが押下されると、「静止画／動画選択」画面の表示に戻る。
【００２７】
一方、ＣＰＵ２０は、「静止画／動画選択」画面において「動画」項目を選択した状態で十字キー２２ｅが右方向に押下操作されると、図４に例示する「動画」についての選択画面をＬＣＤモニタ１７に表示させる。ＣＰＵ２０は「動画」についての選択画面を表示中に十字キー２２ｅが上下方向に押下操作されると、操作信号に応じて選択項目を上下に変更する。ＣＰＵ２０は、たとえば「画像サイズ」項目を選択した状態で十字キー２２ｅが右方向に押下操作されると、操作信号に応じて「画像サイズ」項目ついての選択操作を受け付ける。具体的には、十字キー２２ｅの上下方向の操作に応じて、画像サイズの大小を変更する。図４の例では、「１９２０×１０８０」ピクセルの場合が例示されている。ＣＰＵ２０は、ＯＫボタン２２ｆが押下されると、画像サイズを変更して「動画」についての選択画面に戻る。
【００２８】
「画質」選択についても同様である。「動画」についての画質は、「ＦＩＮＥ」、「ＮＯＲＭＡＬ」、または「ＢＡＳＩＣ」を選択できる。図４の例では、「ＦＩＮＥ」が選択されている。ＣＰＵ２０は、ＯＫボタン２２ｆが押下されると、画質を変更して「動画」についての選択画面に戻る。ＣＰＵ２０は、「動画」についての選択画面を表示中にＯＫボタン２２ｆが押下されると、「静止画／動画選択」画面の表示に戻る。
【００２９】
ＣＰＵ２０は、「静止画／動画選択」画面をＬＣＤモニタ１７に表示した状態でＯＫボタン２２ｆが押下されると 「セットアップメニュー」画面の表示に戻る。ＣＰＵ２０は、モードダイヤル２２ｄが「SET UP」以外の他の位置に回転された場合は、セットアップモードを終了してそれぞれの位置に対応する撮影モードへ切換える。なお、セットアップモードにおいて各項目を選択中にモードダイヤル２２ｄが「SET UP」以外の他の位置に回転された場合にも、セットアップモードを終了した上で撮影モードへ切換える。
【００３０】
−ガイドフレーム表示−
上述したように、「静止画」と「動画」とで撮影範囲のアスペクト比が異なる。そこでＣＰＵ２０は、静止画撮影も動画撮影も可能な状態（すなわち動画撮影モード）において、電子カメラ１に設定される撮影範囲のアスペクト比を知らせるために、ＬＣＤモニタ１７にガイドフレーム表示を行う。
【００３１】
図５は、ＣＰＵ２０がＬＣＤモニタ１７に表示させるガイドフレーム表示を例示する図である。図５において、ＬＣＤモニタ１７の有効表示範囲の全域を用いて静止画の撮影範囲を示す枠６１ｓを表示させる。枠６１ｓの左上に静止画を示すマーク６１ｍを表示させる。ＣＰＵ２０はさらに、枠６１ｓの横方向と動画の撮影範囲の横方向の辺の長さが一致するように動画の撮影範囲を示す枠６２ｖを表示させる。枠６２ｖの左上に動画を示すマーク６２ｍを表示させる。図５の例では、枠６１ｓと枠６２ｖとで表示色が異なる。また、マーク６１ｍとマーク６２ｍとで表示色が異なる。枠６１ｓとマーク６１ｍ、枠６２ｖとマーク６２ｍは、それぞれ同色表示である。
【００３２】
（変形例１）
上記実施形態では、ガイドフレームの表示色について、静止画の撮影範囲を示す枠と動画の撮影範囲を示す枠とを異なる色で表示する例を説明した。この代わりに、静止画の撮影範囲を示す枠と動画の撮影範囲を示す枠とを同色で表示してもよい。図６は、変形例１のＣＰＵ２０がＬＣＤモニタ１７に表示させるガイドフレーム表示を例示する図である。図６において、ＬＣＤモニタ１７の有効表示範囲の全域を用いて静止画の撮影範囲を示す枠８１ｓを表示させる。枠８１ｓの左上に静止画を示すマーク８１ｍを表示させる。ＣＰＵ２０はさらに、枠８１ｓの横方向と動画の撮影範囲の横方向の辺の長さが一致するように動画の撮影範囲を示す枠８２ｖを表示させる。枠８２ｖの左上に動画を示すマーク８２ｍを表示させる。
【００３３】
変形例１の場合は、静止画の撮影範囲を示す枠と動画の撮影範囲を示す枠とが同色なので、マーク８１ｍ（静止画を示すマーク）とマーク８２ｍ（動画を示すマーク）の表示位置によって両撮影範囲を区別できるようにする。これにより、アスペクト比が異なる複数の撮影範囲をわかりやすく表示できる。
【００３４】
（変形例２）
変形例１に加えて、静止画の撮影範囲を示す枠８１ｓと動画の撮影範囲を示す枠８２ｖとが共通しない領域（たとえば、静止画の撮影範囲を示す枠８１ｓに含まれるものの、動画の撮影範囲を示す枠８２ｖに含まれない範囲）の表示態様を異ならせてもよい。図７は、変形例２のＣＰＵ２０がＬＣＤモニタ１７に表示させるガイドフレーム表示を例示する図である。ＣＰＵ２０は、図６における上下の帯状領域（上記共通しない領域）について、たとえば、図６の場合に比べて輝度を低くしたり、図６の場合に比べて彩度を低くしたりすることによって表示態様を異ならせる。このようにしても、アスペクト比が異なる複数の撮影範囲をわかりやすく表示できる。
【００３５】
以上説明した電子カメラ１のＣＰＵ２０は、ガイドフレーム表示中に動画撮影ボタン２２ｂが押下操作されると、設定されているフレームモードに基づいて動画撮影を開始させ、ＬＣＤモニタ１７に動画撮影である旨を知らせる表示（たとえば、動画を示すマーク６２ｍまたは８２ｍを点滅）を行う。
【００３６】
ＣＰＵ２０は、動画撮影中にシャッターボタン１１が押下操作されると、設定されているフレームモードに基づいて静止画撮影を行う。ＣＰＵ２０は、動画撮影中に動画撮影ボタン２２ｂが押下操作されると、動画撮影を終了させ、動画撮影である旨を知らせる表示を終了する（たとえば、動画を示すマーク６２ｍまたは８２ｍを点滅表示から点灯表示に戻す）。
【００３７】
以上説明した第一の実施形態によれば、次の作用効果が得られる。
（１）電子カメラ１は、撮像素子１２と、撮像素子１２からの信号に基づいて、第１のアスペクト比(16:9)で構成される第１撮影範囲に対応する画像、および第１のアスペクト比より小さい第２のアスペクト比(3:2)で構成される第２撮影範囲に対応する画像をそれぞれ生成するＡＦＥ回路１３、画像処理回路１４と、第３のアスペクト比(3:2)の表示範囲を有するＬＣＤモニタ１７と、撮像素子１２からの信号に基づく再生画像をＬＣＤモニタ１７に表示させるＣＰＵ２０とを備える。該ＣＰＵ２０は、再生画像に重ねて、第１撮影範囲を示す第１フレームおよび第２撮影範囲を示す第２フレームを各フレームの区別に必要な情報とともに表示させるようにしたので、アスペクト比が異なる複数の撮影範囲をわかりやすく表示できる。
【００３８】
（２）上記（１）の電子カメラ１において、ＣＰＵ２０は、第３のアスペクト比(3:2)が第２のアスペクト比(3:2)と同一のとき、ＬＣＤモニタ１７における表示範囲の横方向の辺の長さと第２フレームの横方向の辺の長さとを一致させるように第２フレームを表示させ、該第２フレームにおける表示範囲の横方向の辺の長さと第１フレームの横方向の辺の長さとを一致させるように第１フレームを表示させるようにしたので、アスペクト比が異なる複数の撮影範囲をわかりやすく表示できる。
【００３９】
（３）上記電子カメラ１において、フレームの区別に必要な情報は、異なる色で表示したので、アスペクト比が異なる複数の撮影範囲をわかりやすく表示できる。
【００４０】
（４）上記電子カメラ１において、第１撮影範囲に対応する画像は動画像であり、第２撮影範囲に対応する画像は静止画像である。動画の場合も静止画の場合も、アスペクト比が異なる複数の撮影範囲をわかりやすく表示できる。
【００４１】
（第二の実施形態）
第二の実施形態では、ＬＣＤモニタ１７の表示面の有効表示範囲のアスペクト比が横４：縦３の場合を説明する。なお、撮像素子１２による撮影範囲のアスペクト比を横３：縦２、静止画像のアスペクト比を横３：縦２、動画像のアスペクト比を横１６：縦９とする。
【００４２】
図８は、第二の実施形態におけるガイドフレーム表示を例示する図である。図８において、ＬＣＤモニタ１７の有効表示範囲の横方向と静止画の撮影範囲の横方向の辺の長さが一致するように静止画の撮影範囲を示す枠１９１ｓを表示させる。枠１９１ｓの左上に静止画を示すマーク１９１ｍを表示させる。ＣＰＵ２０はさらに、枠１９１ｓの横方向と動画の撮影範囲の横方向の辺の長さが一致するように動画の撮影範囲を示す枠１９２ｖを表示させる。枠１９２ｖの左上に動画を示すマーク１９２ｍを表示させる。図８における上下の黒帯領域は、撮像素子１２において受光されない領域に相当する。図８では、枠１９１ｓと枠１９２ｖとで表示色が異なる。また、マーク１９１ｍとマーク１９２ｍとで表示色が異なる。枠１９１ｓとマーク１９１ｍ、枠１９２ｖとマーク１９２ｍは、それぞれ同色表示である。
【００４３】
（変形例３）
第二の実施形態では、ガイドフレームの表示色について、静止画の撮影範囲を示す枠と動画の撮影範囲を示す枠とを異なる色で表示する例を説明した。この代わりに、静止画の撮影範囲を示す枠と動画の撮影範囲を示す枠とを同色で表示するようにしてもよい。図９は、変形例３のＣＰＵ２０がＬＣＤモニタ１７に表示させるガイドフレーム表示を例示する図である。図９において、ＬＣＤモニタ１７の有効表示範囲の横方向と静止画の撮影範囲の横方向の辺の長さが一致するように静止画の撮影範囲を示す枠２０１ｓを表示させる。枠２０１ｓの左上に静止画を示すマーク２０１ｍを表示させる。ＣＰＵ２０はさらに、枠２０１ｓの横方向と動画の撮影範囲の横方向の辺の長さが一致するように動画の撮影範囲を示す枠２０２ｖを表示させる。枠２０２ｖの左上に動画を示すマーク２０２ｍを表示させる。図９における上下の黒帯領域は、撮像素子１２において受光されない領域に相当する。
【００４４】
（変形例４）
変形例３に加えて、静止画の撮影範囲を示す枠２０１ｓと動画の撮影範囲を示す枠２０２ｖとが共通しない領域（たとえば、静止画の撮影範囲を示す枠２０１ｓに含まれるものの、動画の撮影範囲を示す枠２０２ｖに含まれない範囲）の表示態様を異ならせてもよい。図１０は、変形例４のＣＰＵ２０がＬＣＤモニタ１７に表示させるガイドフレーム表示を例示する図である。ＣＰＵ２０は、図９における上下の帯状領域（上記共通しない領域）について、たとえば、図９の場合に比べて輝度を低くしたり、図９の場合に比べて彩度を低くしたりすることによって表示態様を異ならせる。
【００４５】
以上説明した第二の実施形態によれば、次の作用効果が得られる。
（１）電子カメラ１は、撮像素子１２と、撮像素子１２からの信号に基づいて、第１のアスペクト比(16:9)で構成される第１撮影範囲に対応する画像、および第１のアスペクト比より小さい第２のアスペクト比(3:2)で構成される第２撮影範囲に対応する画像をそれぞれ生成するＡＦＥ回路１３、画像処理回路１４と、第３のアスペクト比(4:3)の表示範囲を有するＬＣＤモニタ１７と、撮像素子１２からの信号に基づく再生画像をＬＣＤモニタ１７に表示させるＣＰＵ２０とを備える。該ＣＰＵ２０は、再生画像に重ねて、第１撮影範囲を示す第１フレームおよび第２撮影範囲を示す第２フレームを各フレームの区別に必要な情報とともに表示させるようにしたので、アスペクト比が異なる複数の撮影範囲をわかりやすく表示できる。
【００４６】
（２）上記（１）の電子カメラ１において、ＣＰＵ２０は、撮像素子１２で用いられる受光範囲のアスペクト比(3:2)が第１のアスペクト比(16:9)より小さく、かつ、第３のアスペクト比(4:3)が第２のアスペクト比(3:2)以下のとき、ＬＣＤモニタ１７における表示範囲の横方向の辺の長さと第２フレームの横方向の辺の長さとを一致させるように第２フレームを表示させ、該第２フレームにおける表示範囲の横方向の辺の長さと第１フレームの横方向の辺の長さとを一致させるように第１フレームを表示させるようにしたので、撮像素子１２による撮影範囲のアスペクト比が横３：縦２の場合であって、ＬＣＤモニタ１７における表示面の有効表示範囲のアスペクト比が横４：縦３の場合にも、アスペクト比が異なる複数の撮影範囲をわかりやすく表示できる。
【００４７】
（第三の実施形態）
第三の実施形態では、ＬＣＤモニタ１７の表示面の有効表示範囲のアスペクト比が横１６：縦９の場合を説明する。なお、撮像素子１２による撮影範囲のアスペクト比を横３：縦２、静止画像のアスペクト比を横３：縦２、動画像のアスペクト比を横１６：縦９とする。
【００４８】
図１１は、第三の実施形態におけるガイドフレーム表示を例示する図である。図１１において、ＬＣＤモニタ１７の有効表示範囲の縦方向と静止画の撮影範囲の縦方向の辺の長さが一致するように静止画の撮影範囲を示す枠１２１ｓを表示させる。枠１２１ｓの左上に動画を示すマーク１２１ｍを表示させる。ＣＰＵ２０はさらに、枠１２１ｓの横方向と動画の撮影範囲の横方向の辺の長さが一致するように動画の撮影範囲を示す枠１２２ｖを表示させる。枠１２２ｖの左上に動画を示すマーク１２２ｍを表示させる。図１１における左右の黒帯領域は、撮像素子１２において受光されない領域に相当する。図１１の例では、枠１２１ｓと枠１２２ｖとで表示色が異なる。また、マーク１２１ｍとマーク１２２ｍとで表示色が異なる。枠１２１ｓとマーク１２１ｍ、枠１２２ｖとマーク１２２ｍは、それぞれ同色表示である。
【００４９】
（変形例５）
第三の実施形態では、ガイドフレームの表示色について、静止画の撮影範囲を示す枠と動画の撮影範囲を示す枠とを異なる色で表示する例を説明した。この代わりに、静止画の撮影範囲を示す枠と動画の撮影範囲を示す枠とを同色で表示するようにしてもよい。図１２は、変形例５のＣＰＵ２０がＬＣＤモニタ１７に表示させるガイドフレーム表示を例示する図である。図１２において、ＬＣＤモニタ１７の有効表示範囲の縦方向と静止画の撮影範囲の縦方向の辺の長さが一致するように静止画の撮影範囲を示す枠１５１ｓを表示させる。枠１５１ｓの左上に動画を示すマーク１５１ｍを表示させる。ＣＰＵ２０はさらに、枠１５１ｓの横方向と動画の撮影範囲の横方向とが一致するように動画の撮影範囲を示す枠１５２ｖを表示させる。枠１５２ｖの左上に動画を示すマーク１５２ｍを表示させる。図１２における左右の黒帯領域は、撮像素子１２において受光されない領域に相当する。
【００５０】
変形例５の場合は、静止画の撮影範囲を示す枠と動画の撮影範囲を示す枠とを同色で表示するので、マーク１５１ｍ（静止画を示すマーク）とマーク１５２ｍ（動画を示すマーク）の表示位置によって両撮影範囲を区別できるようにする。また、マーク１６１ｍ（静止画を示すマーク）とマーク１６２ｍ（動画を示すマーク）の表示位置によって両撮影範囲を区別できるようにする。
【００５１】
（変形例６）
変形例５に加えて、静止画の撮影範囲を示す枠１５１ｓと動画の撮影範囲を示す枠１５２ｖとが共通しない領域（たとえば、静止画の撮影範囲を示す枠１５１ｓに含まれるものの、動画の撮影範囲を示す枠１５２ｖに含まれない範囲）の表示態様を異ならせてもよい。図１３は、変形例６のＣＰＵ２０がＬＣＤモニタ１７に表示させるガイドフレーム表示を例示する図である。ＣＰＵ２０は、図１２における上下の帯状領域（上記共通しない領域）について、たとえば、図１２の場合に比べて輝度を低くしたり、図１２の場合に比べて彩度を低くしたりすることによって表示態様を異ならせる。
【００５２】
以上説明した第三の実施形態によれば、次の作用効果が得られる。
（１）電子カメラ１は、撮像素子１２と、撮像素子１２からの信号に基づいて、第１のアスペクト比(16:9)で構成される第１撮影範囲に対応する画像、および第１のアスペクト比より小さい第２のアスペクト比(3:2)で構成される第２撮影範囲に対応する画像をそれぞれ生成するＡＦＥ回路１３、画像処理回路１４と、第３のアスペクト比(16:9)の表示範囲を有するＬＣＤモニタ１７と、撮像素子１２からの信号に基づく再生画像をＬＣＤモニタ１７に表示させるＣＰＵ２０とを備える。該ＣＰＵ２０は、再生画像に重ねて、第１撮影範囲を示す第１フレームおよび第２撮影範囲を示す第２フレームを各フレームの区別に必要な情報とともに表示させるようにしたので、アスペクト比が異なる複数の撮影範囲をわかりやすく表示できる。
【００５３】
（２）上記（１）の電子カメラ１において、ＣＰＵ２０は、撮像素子１２で用いられる受光範囲のアスペクト比(3:2)が第１のアスペクト比(16:9)より小さく、かつ、第３のアスペクト比(16:9)が第２のアスペクト比(3:2)より大きいとき、ＬＣＤモニタ１７における表示範囲の縦方向の辺の長さと第２フレームの縦方向の辺の長さとを一致させるように第２フレームを表示させ、該第２フレームにおける表示範囲の横方向の辺の長さと第１フレームの横方向の辺の長さとを一致させるように第１フレームを表示させるようにしたので、撮像素子１２による撮影範囲のアスペクト比が横３：縦２の場合であって、ＬＣＤモニタ１７における表示面の有効表示範囲のアスペクト比が横１６：縦９の場合でも、アスペクト比が異なる複数の撮影範囲をわかりやすく表示できる。
【００５４】
（第四の実施形態）
第四の実施形態では、撮像素子１２による撮影範囲のアスペクト比が横１６：縦９の場合を説明する。なお、ＬＣＤモニタ１７の表示面の有効表示範囲のアスペクト比を横３：縦２、静止画像のアスペクト比を横３：縦２、動画像のアスペクト比を横１６：縦９とする。
【００５５】
図１４は、第四の実施形態におけるＣＰＵ２０がＬＣＤモニタ１７に表示させるガイドフレーム表示を例示する図である。図１４において、ＬＣＤモニタ１７の有効表示範囲の横方向と動画の撮影範囲の横方向の辺の長さが一致するように動画の撮影範囲を示す枠７２ｖを表示させる。枠７２ｖの左上に動画を示すマーク７２ｍを表示させる。ＣＰＵ２０はさらに、枠７２ｖの縦方向と静止画の撮影範囲の縦方向の辺の長さが一致するように静止画の撮影範囲を示す枠７１ｓを表示させる。枠７１ｓの左上に静止画を示すマーク７１ｍを表示させる。図１４における上下の黒帯領域は、撮像素子１２において受光されない領域に相当する。図１４の例では、枠７１ｓと枠７２ｖとで表示色が異なる。また、マーク７１ｍとマーク７２ｍとで表示色が異なる。枠７１ｓとマーク７１ｍ、枠７２ｖとマーク７２ｍは、それぞれ同色表示である。
【００５６】
（変形例７）
図１５は、変形例７のＣＰＵ２０がＬＣＤモニタ１７に表示させるガイドフレーム表示を例示する図である。図１５において、ＬＣＤモニタ１７の有効表示範囲の横方向と動画の撮影範囲の横方向の辺の長さが一致するように動画の撮影範囲を示す枠９２ｖを表示させる。枠９２ｖの左上に動画を示すマーク９２ｍを表示させる。ＣＰＵ２０はさらに、枠９２ｖの縦方向と静止画の撮影範囲の縦方向の辺の長さが一致するように静止画の撮影範囲を示す枠９１ｓを表示させる。枠９１ｓの左上に静止画を示すマーク９１ｍを表示させる。図１５における上下の黒帯領域は、撮像素子１２において受光されない領域に相当する。
【００５７】
変形例７の場合は、静止画の撮影範囲を示す枠と動画の撮影範囲を示す枠とが同色なので、マーク９１ｍ（静止画を示すマーク）とマーク９２ｍ（動画を示すマーク）の表示位置によって両撮影範囲を区別できるようにする。この場合にも、アスペクト比が異なる複数の撮影範囲をわかりやすく表示できる。
【００５８】
以上説明した第四の実施形態によれば、次の作用効果が得られる。
（１）電子カメラ１は、撮像素子１２と、撮像素子１２からの信号に基づいて、第１のアスペクト比(16:9)で構成される第１撮影範囲に対応する画像、および第１のアスペクト比より小さい第２のアスペクト比(3:2)で構成される第２撮影範囲に対応する画像をそれぞれ生成するＡＦＥ回路１３、画像処理回路１４と、第３のアスペクト比(3:2)の表示範囲を有するＬＣＤモニタ１７と、撮像素子１２からの信号に基づく再生画像をＬＣＤモニタ１７に表示させるＣＰＵ２０とを備える。該ＣＰＵ２０は、再生画像に重ねて、第１撮影範囲を示す第１フレームおよび第２撮影範囲を示す第２フレームを各フレームの区別に必要な情報とともに表示させるようにしたので、アスペクト比が異なる複数の撮影範囲をわかりやすく表示できる。
【００５９】
（２）上記（１）の電子カメラ１において、ＣＰＵ２０は、撮像素子１２で用いられる受光範囲のアスペクト比が第１のアスペクト比(16:9)と等しいとき、ＬＣＤモニタ１７における表示範囲の横方向の辺の長さと第１フレームの横方向の辺の長さとを一致させるように第１フレームを表示させ、該第１フレームにおける表示範囲の縦方向の辺の長さと第２フレームの縦方向の辺の長さとを一致させるように第２フレームを表示させるようにしたので、撮像素子１２による撮影範囲のアスペクト比が横１６：縦９の場合であって、ＬＣＤモニタ１７における表示面の有効表示範囲のアスペクト比が横３：縦２の場合でも、アスペクト比が異なる複数の撮影範囲をわかりやすく表示できる。
【００６０】
（第五の実施形態）
第五の実施形態では、撮像素子１２による撮影範囲のアスペクト比が横１６：縦９の場合を説明する。なお、ＬＣＤモニタ１７の表示面の有効表示範囲のアスペクト比を横１６：縦９、静止画像のアスペクト比を横３：縦２、動画像のアスペクト比を横１６：縦９とする。
【００６１】
図１６は、第五の実施形態におけるＣＰＵ２０がＬＣＤモニタ１７に表示させるガイドフレーム表示を例示する図である。図１６において、ＬＣＤモニタ１７の有効表示範囲の全域を用いて動画の撮影範囲を示す枠１３２ｖを表示させる。枠１３２ｖの左上に動画を示すマーク１３２ｍを表示させる。ＣＰＵ２０はさらに、枠１３２ｖの縦方向と静止画の撮影範囲の縦方向の辺の長さが一致するように静止画の撮影範囲を示す枠１３１ｓを表示させる。枠１３１ｓの左上に静止画を示すマーク１３１ｍを表示させる。図１６の例では、枠１３１ｓと枠１３２ｖとで表示色が異なる。また、マーク１３１ｍとマーク１３２ｍとで表示色が異なる。枠１３１ｓとマーク１３１ｍ、枠１３２ｖとマーク１３２ｍは、それぞれ同色表示である。
【００６２】
（変形例８）
図１７は、変形例８のＣＰＵ２０がＬＣＤモニタ１７に表示させるガイドフレーム表示を例示する図である。図１７において、ＬＣＤモニタ１７の有効表示範囲の全域を用いて動画の撮影範囲を示す枠１６２ｖを表示させる。枠１６２ｖの左上に動画を示すマーク１６２ｍを表示させる。ＣＰＵ２０はさらに、枠１６２ｖの縦方向と静止画の撮影範囲の縦方向の辺の長さが一致するように静止画の撮影範囲を示す枠１６１ｓを表示させる。枠１６１ｓの左上に静止画を示すマーク１６１ｍを表示させる。 
【００６３】
以上説明した第五の実施形態によれば、次の作用効果が得られる。
（１）電子カメラ１は、撮像素子１２と、撮像素子１２からの信号に基づいて、第１のアスペクト比(16:9)で構成される第１撮影範囲に対応する画像、および第１のアスペクト比より小さい第２のアスペクト比(3:2)で構成される第２撮影範囲に対応する画像をそれぞれ生成するＡＦＥ回路１３、画像処理回路１４と、第３のアスペクト比(16:9)の表示範囲を有するＬＣＤモニタ１７と、撮像素子１２からの信号に基づく再生画像をＬＣＤモニタ１７に表示させるＣＰＵ２０とを備える。該ＣＰＵ２０は、再生画像に重ねて、第１撮影範囲を示す第１フレームおよび第２撮影範囲を示す第２フレームを各フレームの区別に必要な情報とともに表示させるようにしたので、アスペクト比が異なる複数の撮影範囲をわかりやすく表示できる。
【００６４】
（２）上記（１）の電子カメラ１において、ＣＰＵ２０は、撮像素子１２で用いられる受光範囲のアスペクト比が第１のアスペクト比(16:9)と等しいとき、ＬＣＤモニタ１７における表示範囲の縦横方向の辺の長さと第１フレームの縦横方向の辺の長さとを一致させるように第１フレームを表示させ、該第１フレームにおける表示範囲の縦方向の辺の長さと第２フレームの縦方向の辺の長さとを一致させるように第２フレームを表示させるようにしたので、撮像素子１２による撮影範囲のアスペクト比、およびＬＣＤモニタ１７の表示面の有効表示範囲のアスペクト比がともに横１６：縦９である場合にも、アスペクト比が異なる複数の撮影範囲をわかりやすく表示できる。
【００６５】
（第六の実施形態）
第六の実施形態では、撮像素子１２による撮影範囲のアスペクト比が横１６：縦９で、かつＬＣＤモニタ１７の表示面の有効表示範囲のアスペクト比、静止画像のアスペクト比および動画像のアスペクト比が全て横１６：縦９とする。
【００６６】
図１８は、第六の実施形態におけるＣＰＵ２０がＬＣＤモニタ１７に表示させるガイドフレーム表示を例示する図である。図１８において、ＬＣＤモニタ１７の有効表示範囲の全域を用いて撮影範囲を示す枠１４を表示させる。ＣＰＵ２０はさらに、静止画を示すマーク１４１ｍと、動画を示すマーク１４２ｍとを枠１４の左上に表示させる。
【００６７】
第六の実施形態によれば、撮像素子１２による撮影範囲のアスペクト比が横１６：縦９で、かつＬＣＤモニタ１７の表示面の有効表示範囲のアスペクト比、静止画像のアスペクト比および動画像のアスペクト比が全て横１６：縦９の場合にも適切に撮影範囲を表示できる。
【００６８】
（変形例９）
上述した変形例２、変形例４、および変形例６において、静止画の撮影範囲を示す枠と動画の撮影範囲を示す枠とが共通しない領域（たとえば、静止画の撮影範囲を示す枠８１ｓ（１５１ｓまたは２０１ｓ）に含まれるものの、動画の撮影範囲を示す枠８２ｖ（１５２ｖまたは２０２ｖ）に含まれない範囲）の表示態様を異ならせる場合において、動画撮影中にシャッターボタン１１が押下操作（半押し操作を含む）されると、輝度低下や彩度低下を元に戻すようにしてもよい。これにより、ユーザーは、静止画撮影の際に静止画撮影範囲を確認しやすくなる。
【００６９】
変形例９のＣＰＵ２０は、動画撮影中におけるシャッターボタン１１の押下操作が解除されると、再び静止画の撮影範囲を示す枠と動画の撮影範囲を示す枠とが共通しない領域（静止画の撮影範囲を示す枠８１ｓ（１５１ｓまたは２０１ｓ）に含まれるものの、動画の撮影範囲を示す枠８２ｖ（１５２ｖまたは２０２ｖ）に含まれない範囲）の表示態様を異ならせる。
【００７０】
（変形例１０）
上述した説明では、静止画撮影処理が行える動画撮影モード（モードダイヤル２２ｄにおけるビデオカメラマークの位置）について説明した。この代わりに、動画撮影中に静止画撮影処理が行える動画撮影モードと、動画撮影中に静止画撮影処理を禁止する動画撮影モードとを分けてもよい。この場合には、モードダイヤル２２ｄに２つの動画撮影モードの操作位置を設ける。１つは、静止画撮影処理が行える動画撮影モードであり、たとえば、ビデオカメラマークとカメラマークとを並べて表記した操作位置とする。もう１つは、ビデオカメラマークのみを表記した操作位置とする。ＣＰＵ２０は、モードダイヤル２２ｄがビデオカメラマークとカメラマークとを並べて表記した操作位置へ回転操作された場合に、上述した「ガイドフレーム表示」処理を行う。一方、ＣＰＵ２０は、モードダイヤル２２ｄがビデオカメラマークのみを表記した操作位置へ回転操作された場合には「ガイドフレーム表示」として動画の撮影範囲を示す枠と、動画を示すマークとをＬＣＤモニタ１７に表示させ、静止画の撮影範囲を示す表示は行わない。
【００７１】
（変形例１１）
上述した「ガイドフレーム表示」は、ＬＣＤモニタ１７の代わりにビューファインダーに表示させてもよい。また、フレーム表示は直線だけでなく、破線や鎖線を用いてもよい。
【００７２】
（変形例１２）
動画を示すマークの代わりに、動画を示す文字、記号またはアイコンを表示させてもよく、静止画を示すマークの代わりに、静止を示す文字、記号またはアイコンを表示させてもよい。なお、マークやアイコン等は、１つでもよいし、２つ以上を組み合わせて表示してもよい。
【００７３】
以上の説明はあくまで一例であり、上記の実施形態の構成に何ら限定されるものではない。
【符号の説明】
【００７４】
１…電子カメラ
１２…撮像素子
１４…画像処理回路
１７…ＬＣＤモニタ
２０…ＣＰＵ
２２ａ…シャッターボタン
２２ｂ…動画撮影ボタン
２２ｃ…電源ボタン
２２ｄ…モードダイヤル
６１ｓ、７１ｓ、８１ｓ、９１ｓ、１２１ｓ、１３１ｓ、１５１ｓ、１６１ｓ、１９１ｓ、２０１ｓ…静止画の撮影範囲を示す枠
６２ｖ、７２ｖ、８２ｖ、９２ｖ、１２２ｖ、１３２ｖ、１５２ｖ、１６２ｖ、１９２ｖ、２０２ｖ…動画の撮影範囲を示す枠
６１ｍ、７１ｍ、８１ｍ、９１ｍ、１２１ｍ、１３１ｍ、１５１ｍ、１６１ｍ、１９１ｍ、２０１ｍ…静止画を示すマーク
６２ｍ、７２ｍ、８２ｍ、９２ｍ、１２２ｍ、１３２ｍ、１５２ｍ、１６２ｍ、１９２ｍ、２０２ｍ…動画を示すマーク
【図１】
0005799514.tif 000002
【図２】
0005799514.tif 000003
【図３】
0005799514.tif 000004
【図４】
0005799514.tif 000005
【図５】
0005799514.tif 000006
【図６】
0005799514.tif 000007
【図７】
0005799514.tif 000008
【図８】
0005799514.tif 000009
【図９】
0005799514.tif 000010
【図１０】
0005799514.tif 000011
【図１１】
0005799514.tif 000012
【図１２】
0005799514.tif 000013
【図１３】
0005799514.tif 000014
【図１４】
0005799514.tif 000015
【図１５】
0005799514.tif 000016
【図１６】
0005799514.tif 000017
【図１７】
0005799514.tif 000018
【図１８】
0005799514.tif 000019